(57)【要約】      （修正有）【課題】ローラがブラケットから脱落したとき確実に受け止め得る落下受具であり、泥等の付着を極力防止し得るローラの落下受具を提供する。【解決手段】両端部をコンベアフレームのブラケット４に支持され、コンベアベルト５の下側を支持するローラ１の落下受具であって、一対の支持杆７ａをローラ１の上流側と下流側に位置するようにコンベアフレーム３に設け、ローラ１の落下受具６は両支持杆に各々上端部を吊り下げられた吊下体９と、各吊下体９の下端部をつなぐものでローラ１の下方に位置する受体１０とから構成され、吊下体９及び受体１０は、コンベアベルト５の進行方向に沿う上下流方向、及び、コンベア進行方向に直交する方向に揺動可能に構成する。【選択図】図１
0003212959.tif 000002
【実用新案登録請求の範囲】
【請求項１】
中心軸の両端部をコンベアフレームのブラケットに支持され、コンベアベルトの下側を支持するローラを受け止めるローラの落下受具であって、
上記ローラの上記中心軸に沿う一対の支持杆が、上記ローラの上流側と下流側に位置するように上記コンベアフレームに設けられ、
上記ローラの落下受具は上記一対の支持杆に各々上端部を吊り下げられた吊下体と、各吊下体の下端部をつなぐもので上記ローラの下方に位置する受体とから構成され、
上記吊下体及び受体は、上記コンベアベルトの進行方向に沿う上下流方向、及び、コンベア進行方向に直交する方向に揺動可能であるローラの落下受具。
【請求項２】
中心軸の両端部を左右のコンベアフレームの各ブラケットに支持され、コンベアベルトの下側を支持するローラを受け止めるローラの落下受具であって、
上記ローラの落下受具は、左右の上記コンベアフレームの各々の支持部に上端部を吊り下げられた一対の吊下体と、上記一対の吊下体の下端部をつなぐもので上記ローラの下方に位置する受体とから構成され、
上記吊下体及び受体は、上記コンベアベルトの進行方向に沿う上下流方向、及び、コンベア進行方向に直交する方向に揺動可能であるローラの落下受具。
【請求項３】
上記吊下体は、上記ローラの上記中心軸に直交する方向に設けられているものである請求項１又は２記載のローラの落下受具。
【請求項４】
上記受体は、離脱した上記ローラを受け止め得る間隔を有する格子状の部材、又は、網状の部材、又は、上記中心軸に沿う平行線状の部材、又は、上記中心軸に直交する平行線状の部材からなるものである請求項１〜３の何れかに記載のローラの落下受具。
【請求項５】
上記吊下体の上端部と上記一対の支持杆とは、上記上端部が上記支持杆に揺動可能に係合されているものである請求項１記載のローラの落下受具。
【請求項６】
上記吊下体の上端部と左右の上記支持部とは、上記上端部が上記支持部に揺動可能に係合されているものである請求項２記載のローラの落下受具。
【請求項７】
上記吊下体は、チェン、又は、ワイヤーロープ、又は、金属製線材からなるものである請求項１〜６の何れかに記載のローラの落下受具。
【請求項８】
上記受体は、金属製線材、又は、ワイヤーロープ、又は、チェンにより構成されたものである請求項１〜７の何れかに記載のローラの落下受具。
【請求項９】
上記落下受具は、側面視において略Ｕ字状である請求項１〜８の何れかに記載のローラの落下受具。
【請求項１０】
上記ローラはリタンローラである請求項１〜９の何れかに記載のローラの落下受具。
【考案の詳細な説明】
【技術分野】
【０００１】
本考案は、ベルトコンベア装置において、ローラが離脱したとき該ローラを受け止めるローラの落下受具に関するものである。
【背景技術】
【０００２】
ベルトコンベア装置は、コンベアベルトのキャリア側の下面にはキャリアローラが所定間隔で複数設けられ、コンベアベルトのリタン側の下面にはリタンローラが所定間隔で複数設けられており、各々コンベアベルトの走行を下面側から支持している。
【０００３】
これらのローラは、中心軸の両先端部が、コンベアフレームに設けられたブラケットの凹部に固定され、中心軸の両端部に設けられたベアリングにより、該中心軸に対してローラ本体が回転可能に設けられており、上記コンベアベルトの下面に接触するローラ本体が、コンベアベルトの走行に応じて回転することで、上記コンベアベルトを支持するものである。
【０００４】
上記ローラは、コンベアベルトの走行により振動等を受けるので、中心軸の先端部の摩耗等の経年変化により、何れかの先端部がブラケットの凹部から離脱して、下方に脱落する場合がある。特に、ベルトコンベア装置が高所に設置されている場合、リタンローラが脱落すると、高所からリタンローラが地上まで落下することになり、非常に危険である。
【０００５】
このようなローラの落下を防止するため、ローラの下側全体にＵ字状の受板を設ける技術、或いは、ローラの両端部の下方に、各々、ローラの受枠を設け、ローラがブラケットから離脱しても、地上までローラが落下することを防止する技術が提案されている（特許文献１，２）。
【先行技術文献】
【特許文献】
【０００６】
【特許文献１】米国特許出願公開第２００６／０１６３０４１号明細書
【特許文献２】米国特許第９０６７７３８号明細書
【考案の概要】
【考案が解決しようとする課題】
【０００７】
ところで、上記特許文献１，２の技術は、受板が板状の弾性体をＵ字状に折り曲げて形成したもの（特許文献１）、或いは、ローラの両端部下側に、金属板又は金属製鉄線にて受部又は受枠を形成して固定したもの（特許文献２）、から構成されている。
【０００８】
このような構成によると、例えば泥を含む鉱石、鉱物等を運搬するベルトコンベア装置を使用する場合、コンベアベルトから落下した泥、小石等が上記受板又は上記受枠に付着し、この泥、小石等が蓄積し、上記受板とローラ下面との間、上記受枠と上記ローラ下面との間に詰まり、上記ローラの回転を阻害してしまう、という問題がある。
【０００９】
本考案は、上記従来の課題に鑑みてなされたものであり、ローラがブラケットから脱落したとき確実に受け止め得るローラの落下受具であって、しかも、泥等の付着を極力防止し得るローラの落下受具を提供することを目的とする。
【課題を解決するための手段】
【００１０】
上記の目的を達成するため本考案は、
第１に、中心軸の両端部をコンベアフレームのブラケットに支持され、コンベアベルトの下側を支持するローラを受け止めるローラの落下受具であって、上記ローラの上記中心軸に沿う一対の支持杆が、上記ローラの上流側と下流側に位置するように上記コンベアフレームに設けられ、上記ローラの落下受具は上記一対の支持杆に各々上端部を吊り下げられた吊下体と、各吊下体の下端部をつなぐもので上記ローラの下方に位置する受体とから構成され、上記吊下体及び受体は、上記コンベアベルトの進行方向に沿う上下流方向、及び、コンベア進行方向に直交する方向に揺動可能であるローラの落下受具により構成される。
【００１１】
このように構成すると、何らかの原因でローラがブラケットから脱落しても、ローラ下方の受体によりローラを受け止めることができ、ローラの地面等への落下を防止することができる。また、吊下体及び受体は上下流方向又は直交方向に揺動可能であるため、泥等の付着又は蓄積を防止することができる。
【００１２】
第２に、中心軸の両端部を左右のコンベアフレームの各ブラケットに支持され、コンベアベルトの下側を支持するローラを受け止めるローラの落下受具であって、上記ローラの落下受具は、左右の上記コンベアフレームの各々の支持部に上端部を吊り下げられた一対の吊下体と、上記一対の吊下体の下端部をつなぐもので上記ローラの下方に位置する受体とから構成され、上記吊下体及び受体は、上記コンベアベルトの進行方向に沿う上下流方向、及び、コンベア進行方向に直交する方向に揺動可能であるローラの落下受具により構成される。
【００１３】
支持部とは例えば両側の支持板（８，８）等をいう（図６参照）。このように構成すると、上記第１の考案と同様の作用効果を得ながら、支持杆を用いる必要がないので、簡略な構成のローラの落下受具を実現することができる。
【００１４】
第３に、上記吊下体は、上記ローラの上記中心軸に直交する方向に設けられているものである上記第１又は２記載のローラの落下受具により構成される。
【００１５】
このように構成すると、例えば吊下体をチェンにより容易に構成することができる。
【００１６】
第４に、上記受体は、離脱した上記ローラを受け止め得る間隔を有する格子状の部材、又は、網状の部材、又は、上記中心軸に沿う平行線状の部材、又は、上記中心軸に直交する平行線状の部材からなるものである上記第１〜３の何れかに記載のローラの落下受具により構成される。
【００１７】
上記格子状の部材は例えば受体（１０）、上記中心軸に沿う平行線状の部材は例えば横棒（１３）等により構成することができる。このように構成すると、脱落したローラを確実に受け止めることができるし、コンベアベルトから落下する泥等の付着、蓄積を防止することができる。
【００１８】
第５に、上記吊下体の上端部と上記一対の支持杆とは、上記上端部が上記支持杆に揺動可能に係合されているものである上記第１記載のローラの落下受具により構成される。
【００１９】
揺動可能な係合とは、例えば、支持杆に突出部（１１）とＵ字状リンク（１２’）を設け、Ｕ字状リンク（１２’）にチェンを連結するような係合である。このように構成すると、落下受具が上記支持杆に対して揺動可能となるため、泥等の付着、蓄積等を効果的に防止することができる。
【００２０】
第６に、上記吊下体の上端部と左右の上記支持部とは、上記上端部が上記支持部に揺動可能に係合されているものである上記第２記載のローラの落下受具により構成される。
【００２１】
揺動可能な係合とは、例えば、支持部にＵ字状リンク（１８）（図６参照）を設け、Ｕ字状リンク（１８）にチェンを連結するような係合である。このように構成すると、落下受具が上記支持部に対して揺動可能となるため、泥等の付着、蓄積を効果的に防止することができる。
【００２２】
第７に、上記吊下体は、チェン、又は、ワイヤーロープ、又は、金属製線材からなるものである上記第１〜６の何れかに記載のローラの落下受具により構成される。
【００２３】
このように構成すると、吊下体自体がフレキシブルに動くことができるため、泥等の付着、蓄積等を極力防止することができる。
【００２４】
第８に、上記受体は、金属製線材、又は、ワイヤーロープ、又は、チェンにより構成されたものである上記第１〜７の何れかに記載のローラの落下受具により構成される。
【００２５】
このように構成すると、受体自体が揺動することができるため、泥等の付着、蓄積を極力防止することができる。
【００２６】
第９に、上記落下受具は、側面視において略Ｕ字状である上記第１〜８の何れかに記載のローラの落下受具により構成される。
【００２７】
従って、Ｕ字状の下部の受体において、落下したローラを確実に受け止めることができる。
【００２８】
第１０に、上記ローラはリタンローラである上記第１〜９の何れかに記載のローラの落下受具により構成される。
【００２９】
従って、ベルトコンベア装置が高所に設置された場合においても、高所からのリタンローラの地面への落下を確実に防止することができる。  
【考案の効果】
【００３０】
本考案によれば、何らかの原因でローラがブラケットから脱落しても、ローラ下方の受体により該ローラを受け止めることができ、従って、ローラの地面への落下を防止した安
全なコンベアベルト装置を実現できる。
【００３１】
また、落下受具を構成する吊下体及び受体は、コンベアの進行方向に対して上下流方向又はその直交方向に揺動可能であるため、泥等の付着又は蓄積を防止することができる。
【００３２】
また、脱落したローラを確実に受け止めることができるし、コンベアベルトから落下する泥等の付着、蓄積を防止することができる。
【００３３】
また、吊下体自体がフレキシブルに動くことができるため、泥等の付着、蓄積を極力防止することができる。
【００３４】
また、受体自体が揺動することができるため、泥等の付着、蓄積を極力防止することができる。
【００３５】
また、ベルトコンベア装置が高所に設置された場合においても、高所からのリタンローラの地面への落下を確実に防止することができる。  
【図面の簡単な説明】
【００３６】
【図１】本考案に係るローラの落下受具の斜視正面図である。
【図２】同上受具の斜視図である。
【図３】同上受具の斜視図である。
【図４】同上受具においてリタンローラの離脱状態を示す斜視図である。
【図５】同上受具においてリタンローラの離脱状態を示す斜視図である。
【図６】同上受具の第２の実施形態を示す当該受具の正面図である。
【図７】同上第２の実施形態の側面図である。
【図８】同上第２の実施形態の落下受具の展開図である。
【図９】同上受具のローラの中心軸とブラケットとの関係を示す平面図である。
【考案を実施するための形態】
【００３７】
以下、添付図面に基づいて本考案に係るローラの落下受具について詳細に説明する。尚、本考案において「ローラ」との文言は、キャリアローラ及びリタンローラの何れも含む概念である。尚、以下、リタンローラ１を例に説明する。また、図１において、リタンローラ１の中心軸２と平行の方向を左右方向又は横方向という場合がある。
【００３８】
図１．図９に示すように、リタンローラ１は、その中心軸２の両端部２ａ，２ａを左右のコンベアフレーム３，３の左右のＬ型のブラケット４，４の凹部４ａ，４ａ（図４参照）に支持されており、当該リタンローラ１はコンベアベルト５の下側を支持するものである。上記中心軸２は固定であり、該中心軸２の両側にベアリング（図示せず）が設けられ、これらベアリングに円筒体１ａが回転可能に固定されている。
【００３９】
このリタンローラ１の下側に、当該リタンローラ１が上記ブラケット４，４から離脱した場合、当該リタンローラ１を受け止めるローラの落下受具６が設けられている。
【００４０】
このローラの落下受具６は以下の構成からなる。
上記リタンローラ１の上記中心軸２に沿う一対の支持杆７ａ，７ｂ（図２、図４参照）が、上記リタンローラ１の上流側(７ａ)と下流側(７ｂ)に位置するように、上記コンベアフレーム３，３の左右の支持板８，８に固定され、上記ローラの落下受具６は上記両支持杆７ａ，７ｂに各々上端部９ａ，９ａを吊り下げられた上流側（９’）と下流側（９”）で対向する吊下体９と、両吊下体（各吊下体）９（９’，９”）の下端部を中心軸２の方向（左右方向）につなぐもので、上記ローラ１の下方に位置する受体１０とから構成されている。
【００４１】
より具体的には、上記吊下体９は、本実施形態（第１の実施形態）では５本のチェンであり、各上端部９ａ，９ａのリング１２，１２が各々上記支持杆７ａ，７ｂの下向板１９，１９に設けられた複数の突出部１１に引っ掛けられることにより、各チェンは上記支持杆７ａ，７ｂにＵ字状に吊り下げられている。即ち、上記吊下体９は、上記リタンローラ１の上記中心軸２に直交する方向に架け渡され、上記支持杆７ａ，７ｂに、複数（図１では５個）設けられている。
【００４２】
従って、上記両吊下体９’，９”の上端部９ａ，９ａと上記両支持杆７ａ，７ｂとは、上記両支持杆７ａ，７ｂに設けられた複数の突出部１１に上記吊下体９’，９”の各上端部９ａ，９ａの係合部としてのリング１２，１２が揺動可能に係合されている（図１、図２、図４）。又は、図３、図５に示すように、上記支持杆７ａ，７ｂの下向板１９に突出部１１を設け、当該突出部１１にＵ字状リンク１２’の上端部を係合し、このＵ字状リンク１２’に上記吊下体９の上端部９ａ，９ａのチェンを挿通連結しても良い。何れにしても、上記吊下体９は、上記支持杆７ａ，７ｂに対して揺動可能な状態で吊り下げられている。
【００４３】
また、上記受体１０は、上記各吊下体９の上記中心軸２に直交する下部９ｃと、該下部９ｃに交差（実施形態では直交）し、互いに平行に設けられた複数の横棒１３（本実施形態では４本）により格子状に構成されている。この横棒１３は金属製線材により構成され、各下部９ｃにおいてチェンのリンク１４内に挿通され、両端部において、抜止リング１５（図３参照）が固定されることで、下部９ｃのリンク１４から抜け止めされている。
【００４４】
そして、当該受体１０は、チェンによる上記下部９ｃと上記横棒１３により間隔Ｓの格子を構成し、上記間隔Ｓは、上記ブラケット４，４から離脱した上記リタンローラ１が下方に落下しない程度の狭い間隔（中心軸２と直交方向の幅、即ち隣接する横棒１３の離間間隔は、リタンローラ１の直径よりも小さい）を有している。即ち、上記受体１０は、上記ブラケット４，４から離脱した上記リタンローラ１を受け止め得る間隔Ｓを有する格子状の部材から構成されている。従って、上記落下受具６は、側面視において略Ｕ字状となるように構成されている（図３参照）。尚、間隔Ｓは泥或いは小石等の粒径より広い間隔である。
【００４５】
このように、上記吊下体９及び受体１０は、上記コンベアベルト５の進行方向（矢印Ａ方向）に沿う上下流方向（矢印Ｂ，Ｂ’方向）、及び、コンベア進行方向に直交する方向（矢印Ｃ，Ｃ’方向）に揺動可能に設けられている。
【００４６】
即ち、上記吊下体９は、チェンにより構成されており、その上端部９ａ，９ａにおいてはリング１２，１２が上記支持杆７ａ，７ｂの突出部１１に引っ掛けられているだけであり、しかも、受体１０は上記チェンの下部９ｃのリンク１４内に複数の横棒１３が挿通して設けられている構成であるため、吊下体９及び受体１０は、それ自体、フレキシブルに形状変化可能であり、当然に、上下流方向（矢印Ｂ，Ｂ’方向）、及び、それに直交する方向（矢印Ｃ，Ｃ’方向）は勿論、その他の方向にも自由に揺動可能に設けられている。しかも、上記５個の吊下体９の相互間隔Ｔ（＞Ｓ、上下流方向の間隔）が大きく設けられており、上記受体１０の格子の間隔Ｓも、リタンローラ１が落ちない程度の大きさに設けられている。
【００４７】
従って、コンベアベルト５の走行により、泥或いは小石等が落下しても、これら泥或いは小石等は上記間隔Ｔ又は上記間隔Ｓから容易に下方に落下することができるので、吊下体９又は受体１０に泥又は小石等が付着、蓄積することはない。仮に、泥又は小石等が上記吊下体９又は受体１０に付着したとしても、吊下体９又は受体１０自体がフレキシブルに揺動し得るため、例えば、コンベアベルト走行による振動、屋外設置の場合は風等により、上記吊下体９又は受体１０が揺動することにより、付着した泥又は小石等は下方に振り落とされ、結果として、吊下体９及び受体１０、即ち、落下受具６に泥又は小石等が付着、蓄積することがない。
【００４８】
上述のように、上記受体１０は当該実施形態では格子状に形成したが、格子状に限らず、網状（例えば、泥、小石等を通過し得るメッシュ状のネット等）の部材、又は、上記中心軸２に沿う平行線状の部材、即ち、上下流方向の隣接間隔をリタンローラ１が落下しない程度の狭い間隔とした複数の上記横棒１３のみ、又は、上記中心軸２に直交する平行線状の部材、即ち、中心軸２に直交する間隔をリタンローラ１が落下しない程度の狭い間隔とした上下流方向の線材のみ、により構成することもできる。
【００４９】
さらに、上記吊下体９はチェンにより構成したが、チェン以外であっても、例えばワイヤーロープ、又は、金属製線材（針金等）等から構成してもよい。
【００５０】
また、上記受体１０においても、上記実施形態では棒状の金属製線材により構成したが、逆に、受体１０の上記横棒１３を、ワイヤーロープ、又は、チェンにより構成してもよい。
【００５１】
図３に示すように、上記支持杆７ａ，７ｂの両端部は両側の支持板８，８を貫通し、支持板８，８の外側においてＵ字状ロックボルト１６により各々抜け止め固定されている。上記支持板８，８は各上縁においてコンベアフレーム３，３にボルトＶ，Ｖにて固定されている。また、上記ブラケット４，４は上記支持板８，８の下縁に溶接固定されている。
【００５２】
本考案は上述のように構成されるので、次の本考案の動作について説明する。
通常、ベルトコンベア装置のリタン側は、図１に示すように、コンベアベルト５が矢印Ａ方向に走行し、その下側において、リタンローラ１が上記コンベアベルト５下面に接触し、当該リタンローラ１は上記コンベアベルト５の走行に基づいて回転している。尚、中心軸２自体は回転せず、その両端部２ａ，２ａがブラケット４の凹部４ａに係合している。
【００５３】
このとき、コンベアベルト５の蛇行その他の振動により、上記リタンローラ１も振動し、当該振動に基づいて、中心軸２の両端部２ａ，２ａと上記ブラケット４の凹部４ａ，４ａとの接触による凹部４ａ，４ａ又は中心軸２の両端部２ａ，２ａの摩耗が発生する。
【００５４】
このような摩耗が長年に亘り継続することにより、図４、図５に示すように、上記リタンローラ１の中心軸２の左右の何れかの端部２ａが上記ブラケット４の凹部４ａから脱落して下方に落下する場合がある。
【００５５】
このとき、図４、図５に示すように、上記リタンローラ１の下方にはローラの落下受具６が設けられているため、離脱した側のリタンローラ１の端部は、上記落下受具６の受体１０により受け止められ、リタンローラ１自体が地面に落下することを防止することができる。
【００５６】
しかも、上記受体１０は、リタンローラ１自体が通り抜け不能な間隔Ｓの格子状に形成されているため、リタンローラ１の左右の何れかの端部２ａが上記ブラケット４から離脱しても、受体１０にて受け止めることができるし、仮に、リタンローラ１の左右端部が左右のブラケット４，４から離脱して、リタンローラ１そのものが脱落しても、当該リタンローラ１を当該受体１０にて受け止めることができる。
【００５７】
しかも、上記落下受具６自体は、チェン等からなる吊下体９及び細い線状部材からなる横棒１３により構成されており、上記吊下体９間には広い間隔Ｔが設けられており、上記受体１０も格子状に設けられているため、コンベアベルト５から泥、小石等が落下しても、泥或いは小石等は、上記間隔Ｔ及び上記間隔Ｓを容易に通過して下方に落とすことができ、コンベアベルト５からの落下物が落下受具６に付着、蓄積することがない。
【００５８】
さらに、上記落下受具６は、チェンからなる吊下体９と横棒１３からなり、それ自体がフレキシブルに動き得るし、コンベアベルト５の進行方向に沿う方向（矢印Ｂ，Ｂ’方向）及びコンベアベルト５の進行方向に直交する方向（矢印Ｃ，Ｃ’方向）、さらにはその他の方向に揺動可能であるため、仮に、コンベアベルト５から落下した泥等が落下受具６の何れかに付着したとしても、落下受具６の上記方向への揺動により、付着した泥等を容易に下方に振り落とすことができる。従って、長年に亘り使用しても、泥或いは小石等が落下受具６に付着、蓄積することがなく、常時、円滑に使用できるし、付着した泥等によりコンベアベルト５の走行が阻害されることもない。
【００５９】
次に、本考案の第２の実施形態を図６、図７、図８により説明する。
この第２の実施形態において、上記第１の実施形態と対応する部分には同一の符号を付してそれらの説明は便宜上省略する。この第２の実施形態は、上記図１の実施形態において、支持杆７ａ，７ｂを無くすと共に、吊下体９は両側のみ使用して各上端部９ａ，９ａを支持板８，８に係合し、中間の３つの吊下体９は、上端部９ａ，９ａを無くして下部９ｃのみとしたものである。
【００６０】
即ち、両側の吊下体９，９は、その上端部９ａ，９ａを両側の支持板８，８の下部両側に係合する。具体的には（図７参照）、上記支持板８の下部両側に一対の貫通孔１７，１７を形成し、当該貫通孔１７，１７にＵ字状リンク１８を係合し、Ｕ字状リンク１８に吊下体９の上端部９ａ，９ａ（本実施形態ではカラビナを使用）を連結し、当該上端部９ａ，９ａにチェンを連結して図７に示す両側の吊下体９を構成する。
【００６１】
その後、図８の展開図に示すように、上記下部９ｃに相当する３本のチェン（相互の間隔はＴ）と、６本の横棒１３を格子状に形成して受体１０を構成する。このとき、上記６本の横棒１３は上記下部９ｃを構成するチェンの各リングに挿通し、両端部において、上記吊下体９，９の各チェンのリング内に挿通され、外側から抜止リング１５が固定されることにより抜け止めされている。そして、上記受体１０の格子の間隔Ｓは図１の実施形態と同様に、リタンローラ１が落下してきた場合に当該リタンローラ１を受け止め得る間隔（中心軸２と直交方向の幅、即ち隣接する横棒１３の離間間隔は、リタンローラ１の直径よりも小さい）となるように構成されている。
【００６２】
そして、この第２の実施形態においても、両端の吊下体９，９が上記支持板８，８に吊り下げられており、両吊下体９，９間には両吊下体９，９をリタンローラ１の中心軸２の方向につなぐように、受体１０が形成されている構成であるから、落下受具６自体、フレキシブルに変形可能であるし、当該落下受具６は、上記図１の実施形態と同様に、上記コンベアベルト５の進行方向に沿う上下流方向、及び、コンベア進行方向に直交する方向に揺動可能に構成されている。
【００６３】
尚、図７において、２０は、上記両側の吊下体９，９において、上流側の吊下体９’と下流側の吊下体９”とを連結する補強用線材（本実施形態ではチェン）である。
【００６４】
このように、第２の実施形態のローラの落下受具６は、中心軸２の両端部２ａを左右のコンベアフレーム３の各ブラケット４，４の凹部４ａ，４ａに支持され、コンベアベルト５の下側を支持するリタンローラ１を受け止めるローラの落下受具６であって、上記リタンローラ１の落下受具６は、上記左右のコンベアフレーム３の各支持部（実施形態では支持板）８に上端部９ａを吊り下げられた一対の吊下体９，９と、両吊下体９，９の下端部をつなぐもので上記リタンローラ１の下方に位置する受体１０とから構成され、上記吊下体９及び受体１０は、上記コンベアベルト５の進行方向に沿う上下流方向、及び、コンベア進行方向に直交する方向に揺動可能となっている。
【００６５】
第２の実施形態は上述のように構成されているため、上記第１の実施形態と同様に、リタンローラ１の左右両端部がブラケット４から離脱しても、上記受体１０により上記リタンローラ１を確実に受け止めることができ（図６の二点鎖線のリタンローラ１参照）、リタンローラ１の地面への落下を防止することができる。
【００６６】
また、同様に、落下受具６自体が揺動可能であるため、長年使用しても、泥等の付着、蓄積を防止する等の上記図１の実施形態と同様の効果を得ることができる。
【００６７】
さらに、第１の実施形態で用いた支持杆７ａ，７ｂを使用する必要がないため、落下受具の構成を簡単にすることができ、既存のベルトコンベア設備にも比較的容易に設置することができるという効果を有する。
【００６８】
本考案は以上のように、何らかの原因でローラ１（リタンローラ又はキャリアローラ）がブラケット４から脱落しても、ローラ下方の受体１０により該ローラ１を受け止めることができ、従って、ローラ１の地面への落下を防止した安全なベルトコンベア装置を実現できる。
【００６９】
また、落下受具６を構成する吊下体９及び受体１０は、コンベアベルトの進行方向に対して上下流方向又はその直交方向に揺動可能であるため、泥等の付着又は蓄積を防止することができる。
【００７０】
また、脱落したローラを確実に受け止めることができるし、コンベアベルトから落下する泥等の付着、蓄積を防止することができる。
【００７１】
また、吊下体９自体がフレキシブルに動くことができるため、泥等の付着、蓄積を極力防止することができる。
【００７２】
また、受体１０自体が揺動することができるため、泥等の付着、蓄積を極力防止することができる。
【００７３】
また、ベルトコンベア装置が高所に設置された場合においても、リタンローラ１の地面への落下を確実に防止することができる。  
【産業上の利用可能性】
【００７４】
本考案に係るローラの落下受具は、特に、高所に設置されたベルトコンベア装置であり、しかもリタンローラに設置することにより、リタンローラの高所からの落下を確実に防止することができ、かつ、コンベアベルトの走行も阻害しないので、広く産業上利用されることが期待される。
【符号の説明】
【００７５】
１                      ローラ（リタンローラ）
２                      中心軸
２ａ                    端部
３                      コンベアフレーム
４                      ブラケット
５                      コンベアベルト
６                      ローラの落下受具
７ａ，７ｂ              支持杆
８                      支持板
９，９’，９”          吊下体
９ａ                    上端部
１０                    受体
Ｓ                      間隔
Ｂ，Ｂ’                上下流方向
Ｃ，Ｃ’                上下流方向に直交する方向
【図１】
0003212959.tif 000003
【図２】
0003212959.tif 000004
【図３】
0003212959.tif 000005
【図４】
0003212959.tif 000006
【図５】
0003212959.tif 000007
【図６】
0003212959.tif 000008
【図７】
0003212959.tif 000009
【図８】
0003212959.tif 000010
【図９】
0003212959.tif 000011